(57)【特許請求の範囲】
【請求項１】
加熱装置を具備する室外機から延びる一対の室外側温水配管と室内側壁面に設置される温水コンセントのコンセント本体との間を、壁に設けた貫通孔を介して流路接続させる温水配管接続装置であって、
前記貫通孔内に、一端が前記コンセント本体に接続され且つ他端が前記室外側温水配管に接続される一対の温水パイプが挿通されると共に、前記温水パイプは、包囲筒によって断熱状態に包囲されている温水配管接続装置において、
前記包囲筒を蛇腹管によって構成すると共に、前記蛇腹管は圧縮された状態で前記貫通孔内に収容されていることを特徴とする温水配管接続装置。
【請求項２】
請求項１に記載の温水配管接続装置において、前記包囲筒の一端は、前記温水パイプと共に前記貫通孔から外方へ突出すると共に、前記室外側温水配管との接続部をも包囲する長さに設定されている温水配管接続装置。
【請求項３】
請求項１又は２に記載の温水配管接続装置において、前記貫通孔の内周面に略接触するように外筒が設けられると共に前記外筒は蛇腹管とし、前記貫通孔の室外側開放端は前記温水パイプが貫通する裏板によって閉塞され、前記包囲筒内に、放熱装置を具備する室内機から前記室外機に対して遠隔操作用の信号を伝送するためのリモコンケーブルを前記温水パイプと共に挿通させると共に前記外筒と前記包囲筒との間に、両端に前記温水コンセントと前記裏板とがそれぞれ取付けられる連結パイプと前記室外機に電力供給するための電源コードとを挿通させた温水配管接続装置。
【請求項４】
請求項３に記載の温水配管接続装置において、前記裏板に、前記包囲筒を外方へ抜け止め状態に保持する抜け止め手段を設けた温水配管接続装置。
【発明の詳細な説明】
【０００１】
【発明の属する技術分野】
この発明は温水配管接続装置、特に、加熱装置を具備する室外機と放熱装置を具備する室内機とを、壁に形成した貫通孔を介して流路接続するための温水配管接続装置に関するものである。
【０００２】
【従来の技術】
図４は、従来の温水暖房機用の接続装置の一部を示す断面図である。このものでは、壁（８）を水平に貫通する壁孔（８０）に挿入された筒体（２）と、壁孔（８０）を含む室内側壁面（８１）に添設されると共に筒体（２）に一体に設けられた連結パイプ部（２２）の一端にネジ止めされる温水コンセント（１）と、室外側壁面（８２）に接した状態で前記連結パイプ（２２）の他端にネジ止めされる防雨板（３）と、筒体（２）に挿通されると共に防雨板（３）を貫通する温水導通ユニット（４）とから構成されている。
【０００３】
筒体（２）は、軟質塩化ビニル等の合成樹脂からなり、壁孔（８０）より僅かに小径の円形断面を有する外筒部（２１）と、この外筒部（２１）の断面内周縁の上端及び下端にその軸方向に沿って設けられている一対の前記連結パイプ部（２２）（２２）と、外筒部（２１）の中心よりも上方に偏った位置で前記外筒部（２１）を上方の小空間と下方の大空間とに区画する水平な平板状の区画壁（２３）とから構成されている。
【０００４】
前記大空間に、温水導通ユニット（４）が挿通され、小空間に、電源プラグ（１４）から延びる電源コード（７）が挿通されている。この電源コード（７）は、室外機に対して電力供給する為に用いられる。
【０００５】
上記した温水導通ユニット（４）は、銅製の一対の温水パイプ（４２）と、これら温水パイプ（４２）に外嵌する合成樹脂製の包囲筒（４４）と、温水パイプ（４２）の一端に装着されたコンセント本体（１１）とからなり、コンセント本体（１１）は、温水パイプ（４２）の各々が連通する一対のプラグ部（４１ａ）を具備すると共に、室外機から延びる室内側配管の先端に装着させたソケット（５１）が着脱自在に装着する構成となっている。
【０００６】
又、包囲筒（４４）は、発泡ポリエチレン等の断熱材からなり、包囲筒（４４）内に結束状態に収容されるように一対の温水パイプ（４２）が挿通されている。又、包囲筒（４４）は、温水パイプ（４２）と共に防雨板（３）よりも室外に突出している。
【０００７】
包囲筒（４４）内には、温水パイプ（４２）と共に、室外機に対して室内機からのリモート操作用の信号を伝送する為のリモコンケーブル（６）が挿通されていると共に、温水パイプ（４２）は、包囲筒（４４）よりも更に室外側に長く突出しており、その先端部の各々には、温水暖房装置の室外機（図示せず）の加熱回路から延びる温水配管に接続具（４３）を介して接続させる構成となっている。尚、前記室外機からの温水配管は略全域において断熱材で被覆されていると共に、前記温水パイプ（４２）との接続部分は、二点鎖線に示すように、別途設けられる断熱材（４５）によって被覆される構成となっている。
【０００８】
尚、温水コンセント（１）のうち、室内側壁面（８１）に添設させる基板（１０）には、コンセント本体（１１）と共に壁孔（８０）内に嵌め込まれる皿状体（１２）が備えられており、この皿状態（１２）の底部に貫通させたネジ（１６）を前記連結パイプ部（２２）の孔部（２０）にねじ込む。さらに、防雨板（３）を、室外側壁面（８２）に添設させ、室外側からネジ（３６）（３６）を前記防雨板（３）に貫通させると共に前記連結パイプ部（２２）の孔部（２０）の各々にねじ込む。これらネジ（１６）（３６）の各々は、タッピング式であるから、室外側からドライバー等で締め込まれることによって、これらネジ（１６）（３６）は連結パイプ部（２２）の両側から孔部（２０）の内壁に螺旋状に食い込みながらその内方に侵入していく。これにより、前記温水コンセント（１）の皿状体（１２）の底部及び防雨板（３）は、前記筒体（２）にネジ止めされて固定されることとなる。
【０００９】
【発明が解決しようとする課題】
上記したように、温水コンセント（１）と防雨板（３）は、筒体（２）を介して、壁（８）の室内側壁面（８１）及び室外側壁面（８２）にそれぞれ添設固定されており、又、温水パイプ（４２）は、温水コンセント（１）のコンセント本体（１１）に接続されて固定された態様となっているが、温水パイプ（４２）を被覆すると共に温水パイプ（４２）と共に防雨板（３）から室外へ突出させられている包囲筒（４４）はどこにも固定されていない。よって、包囲筒（４４）は、不用意に外方へ引っ張られると、その引っ張られた方向（図４では右側）へ移動してしまう。包囲筒（４４）が移動すると、包囲筒（４４）の温水パイプ（４２）に対する被覆範囲が移動距離分ずれることとなり、温水パイプ（４２）の一部分に、包囲筒（４４）によって被覆されない非被覆部分が生じてしまい、その部分の断熱効果が損なわれるという不都合がある。又、包囲筒（４４）は断熱機能を有する発泡合成樹脂製の外筒部であり、長手方向への伸縮機能は期待できないから、壁の厚みを勘案して裁断しなければならず、包囲筒（４４）の取り扱いが面倒であるという問題もある。
【００１０】
本発明は、『加熱装置を具備する室外機から延びる一対の室外側温水配管と室内側壁面に設置される温水コンセントのコンセント本体との間を、壁に設けた貫通孔を介して流路接続させる温水配管接続装置であって、
前記貫通孔内に、一端が前記コンセント本体に接続され且つ他端が前記室外側温水配管に接続される一対の温水パイプが挿通されると共に、前記温水パイプは、包囲筒によって断熱状態に包囲されている温水配管接続装置』において、前記包囲筒に伸縮調整機能を具備させることを課題とする。
【００１１】
【課題を解決するための手段】
本願発明の課題解決手段は、『前記包囲筒を蛇腹管によって構成すると共に、前記蛇腹管は圧縮された状態で前記貫通孔内に収容されていること』である。
包囲筒を蛇腹管によって構成したから、前記温水パイプは蛇腹管によって包囲される態様となる。これが圧縮された状態で貫通孔内に収容されているから、この蛇腹管製の包囲筒は長手方向に伸縮自在である上に、温水パイプの外周と蛇腹管の内面間には、空気の層が形成され、空気断熱層ができることとなる。よって、蛇腹管による包囲筒は断熱材として機能することとなる。
【００１２】
＊２項
１項において、『前記包囲筒の一端は、前記温水パイプと共に前記貫通孔から外方へ突出すると共に、前記室外側温水配管との接続部をも包囲する長さに設定されている』ものでは、前記コンセント本体から室外側温水配管との接続部に至るまでの温水パイプの全域が蛇腹管によって包囲されることとなり、断熱されることとなる。
【００１３】
＊３項
上記各項において、『前記貫通孔の内周面に略接触するように外筒が設けられると共に前記外筒は蛇腹管とし、前記貫通孔の室外側開放端は前記温水パイプが貫通する裏板によって閉塞され、前記包囲筒内に、放熱装置を具備する室内機から前記室外機に対して遠隔操作用の信号を伝送するためのリモコンケーブルを前記温水パイプと共に挿通させると共に前記外筒と前記包囲筒との間に、両端に前記温水コンセントと前記裏板とがそれぞれ取付けられる連結パイプと前記室外機に電力供給するための電源コードとを挿通させた』ものでは、従来例として挙げた接続装置における外筒部をも蛇腹管によって構成すると共に、温水コンセントと裏板とを連結させる連結パイプを前記外筒部と別体に設けている。前記連結パイプは外筒部内において、前記包囲筒の両側に位置するように２つ以上設けることが望ましい。又、外筒と包囲筒との間は、従来例における小空間に相当し、裏板は防雨板に相当する。前記裏板からは、温水パイプのみが突出する場合と、温水パイプが包囲筒で包囲された状態で突出する場合とがある。
【００１４】
＊４項
３項において、『前記裏板に、前記包囲筒を外方へ抜け止め状態に保持する抜け止め手段を設けた』ものでは、貫通孔内における包囲筒は圧縮させられた状態が維持されることとなる。
【００１５】
【発明の効果】
以上説明したように、請求項１の発明では、包囲筒を蛇腹管によって形成することにより、長手方向に伸縮自在としたから、包囲筒の長さを壁厚さに応じて調整することができることとなる。よって、包囲筒の長さを壁厚さに応じて精密に裁断する必要がなく作業効率が向上する。又、前記包囲筒が外方へ引っ張られた場合でも、蛇腹が伸張するだけであるから、包囲筒自体が外方へずれて、ずれた分だけ貫通孔内で温水パイプが露出するといった不都合がない。さらに、蛇腹管の内面と温水パイプの外周との間に空気断熱層が形成されることとなるから、従来の発泡樹脂製の断熱材は不要となる。又、蛇腹管は従来の発泡樹脂製の断熱材よりも柔軟であるため、接続作業がやり易いものとなる。
【００１６】
２項のものでは、包囲筒を伸張させることによって、温水パイプと室外側温水配管との接続部までも包囲するようにしたから、前記接続部分への断熱材の取付け作業が不要となる。よって、部品点数が減ることによりコストダウンを図れる上に、作業性がさらに向上する。
【００１７】
３項のものでは、貫通孔に略接触状態に収容される外筒部も蛇腹管によって構成したから、前記外筒部も壁厚さに応じて調整することができると共に、前記貫通孔の形成精度の悪さも蛇腹管の弾性でカバーすることができる。又、包囲筒内に温水パイプとリモコンケーブルを挿通させると共に、包囲筒と外筒部との間に、連結パイプと電源コードを挿通させる構成としたから、各種パイプやコードが貫通孔内で混乱する不都合がない。
【００１８】
さらに、４項のものでは、包囲筒を構成する蛇腹管は、貫通孔内で所定の圧縮姿勢を維持することとなるから、包囲筒の一端が裏板から外方へ突出している場合であって、それが外方へさらに引っ張られた場合でも、貫通孔内の包囲筒を構成している蛇腹管の内面と温水パイプの外周間の空気の層は変化することがないから、断熱機能も変わることがない。よって、貫通孔内においては常時一定した断熱効果を得られることとなる。
【００１９】
【発明の実施の形態】
以下、本願発明の実施の形態を、図面に基づいて説明する。
図１は、本願発明の第１番目の実施の形態の温水配管接続装置の断面図である。
壁（８）には、従来の場合と同様に、壁孔（８０）が水平に貫通していると共に、前記壁孔（８０）内には、その内周面に略接触状態に塩化ビニル製の外筒（２５）が挿入されている。前記外筒（２５）の内周面の相互に対向する位置には、連結パイプ部（２４）が外筒（２５）の軸線に沿って設けられている。この連結パイプ部（２４）のネジ込み用の孔部（２２０）の両端に、温水コンセント（１）と防雨板（３）とがそれぞれネジ止めされることにより、前記温水コンセント（１）は室内側の壁孔（８０）の周囲の壁面（８１）に添設されると共に、防雨板（３）は室外側の壁孔（８０）の周囲の壁面（８２）に添設されることとなる。又、前記外筒（２５）内には、後述する温水導通ユニット（４）が防雨板（３）  を貫通するように挿通している。
以下、各部の構成について説明する。
【００２０】
＊温水コンセント（１）について
温水コンセント（１）は、室内側壁面（８１）に接して壁孔（８０）を被覆する基板（１０）と、この基板（１０）の全体を正面側（室内側）から被覆するように装着されている合成樹脂製のケース体（１００）とを備えている。
【００２１】
基板（１０）には、その中程から壁孔（８０）の内方に突出する円形の皿状体（１２）が備えられている。この皿状体（１２）には、その中程を貫通する態様にてコンセント本体（１１）がブラケット（４ａ）を介してネジ止めされている。又、この基板（１０）には、皿状体（１２）の上下端部から前記内方に向って突出する平行な一対の凹部（１３）（１３）が備えられている。これら凹部（１３）（１３）の各々の底部には、壁孔（８０）の軸方向に貫通するネジ用の貫通孔（１３０）（１３０）が形成されている。
【００２２】
ケース体（１００）は、その中程にて正面側に開放される開口部を備え、この開口部内に、プラグ部（４１）を具備するコンセント本体（１１）が露出している。又、ケース体（１００）の前記開口部より下方には、上下方向にスライドして開口部を開閉する蓋体（１５）が装着されている。尚、基板（１０）には、電源プラグ（１４）が固定されている。
【００２３】
＊外筒（２５）について
外筒（２５）は、軟質塩化ビニル等の合成樹脂からなり、壁孔（８０）より僅かに小径の外径を有する円筒体とし、この断面内周縁における上端位置及び下端位置に、前述の連結パイプ部（２４）が軸方向に沿って一体的に突設されている。これら連結パイプ部（２４）の各々には、ネジ込み用の孔部（２２０）が貫通している。この外筒（２５）の内部には、後述する温水導通ユニット（４）と、前記電源プラグ（１４）から延びて皿状体（１２）を貫通すると共に室外機に対して電力供給する電源コード（７）とが挿通している。
【００２４】
＊温水導通ユニット（４）について
上記の温水導通ユニット（４）  は、従来のものと同様な一対の温水パイプ（４２）を、前記コンセント本体（１１）内に水平に設けられている一対のプラグ部（４１）の各々に連通状態に接続させると共に、前記温水パイプ（４２）には、従来の断熱材としての包囲筒（４４）の代わりに蛇腹管（４０）を外嵌させている。
【００２５】
又、プラグ部（４１）の各々には、温水パイプ（４２）からの温水の通過をオン・オフする為の弁装置（図示せず）が内蔵されており、弁装置の各々は、室外機から延びる室内側配管の先端に装着させるソケット（５１）がコンセント本体（１１）に装着されると、開状態となり、ソケット（５１）がコンセント本体（１１）から取り外されると、閉状態となるように設定されている。
【００２６】
蛇腹管（４０）は、貫通孔（８０）内において、その室内側の一端は前記コンセント本体（１１）の内側端面に当接し、室外側の他端は、後述する防雨板（３）の内側に装着させた抜け止め用の係止片（３０）に当接するように圧縮させた状態で収容されるものとする。尚、この蛇腹管（４０）内には、前記温水パイプ（４２）と共に、リモコンケーブル（６）が挿通されている。このリモコンケーブル（６）は、室外機に室内機からのリモート操作用の信号を伝送する為のものであり、前記コンセント本体（１１）に於けるプラグ部（４１）の間に設けられた挿通孔（４１０）内の電気接続具（６１）に接続されている。
【００２７】
＊防雨板（３）について
防雨板（３）は、室外側壁面（８２）に添設されて壁孔（８０）への雨水の侵入を防止する為のものであり、金属板により構成されている。この実施の形態の防雨板（３）には、温水パイプ（４２）が貫通可能な中央孔（３２）と、上記した連結パイプ部（２４）の孔部（２２０）の各々に対応する一対の貫通孔（３４）とが形成されている。その他、電源コード（７）やその他のコードを挿通させる為の小孔や防雨板（３）を壁（８）にネジ止めする為のネジ（３７）（３７）を挿通させる複数の透孔が設けられている。
【００２８】
又、前記中央孔（３２）の周縁の所定個所には、前記蛇腹管（４０）を外方へ抜け止め状態に保持するための係止片（３０）が壁孔（８０）内へ突出するように一定間隔毎に複数個設けられている。係止片（３０）の先端によって形成される円の直径は、蛇腹管（４０）の山径よりも小さく且つ、温水パイプ（４２）の外径よりも大きく設定されているものとする。
【００２９】
＊接続装置の組付けについて
上記した接続装置を組付けるには、先ず、壁孔（８０）に外筒（２５）を挿入し、前記外筒（２５）に具備されている一対の連結パイプ部（２４）（２４）がそれぞれ壁面の上下に位置する姿勢となるようにセットする。この後、温水導通ユニット（４）を室内側から外筒（２５）内に挿通させ、基板（１０）の皿状体（１２）を壁孔（８０）に嵌入して基板（１０）を壁面（８１）に接触させる。尚、基板（１０）と温水導通ユニット（４）とは、予め一体的に組み立てられていると共に、温水導通ユニット（４）を構成する温水パイプ（４２）とリモコンケーブル（６）は、蛇腹管（４０）によって包囲された構成とする。  又、前記外筒（２５）内には、温水導通ユニット（４）と共に、電源コード（７）も挿通させる。
尚、蛇腹管（４０）は、適度に圧縮された状態で壁孔（８０）内に収容可能な長さに裁断されているものとする。
【００３０】
基板（１０）が室内側壁面（８１）に添設されるまで温水導通ユニット（４）を壁孔（８０）内に挿入させると、温水パイプ（４２）とリモコンケーブル（６）が室外側壁面（８２）から外方に突出すると共に、場合によってはこれらに被覆している蛇腹管（４０）も突出する。そこで、前記温水パイプ（４２）とリモコンケーブル（６）を防雨板（３）の中央孔（３２）に挿通させると共に、蛇腹管（４０）の前記他端が前記係止片（３０）に係止されるように、防雨板（３）を、室外側壁面（８２）に添設させる。尚、このとき、外筒（２５）の室外側の端面も防雨板（３）に接した状態となる。
【００３１】
この後、室外側からネジ（３６）（３６）の各々の軸部を貫通孔（３４）（３４）の各々に貫通させて、連結パイプ部（２４）の孔部（２２０）（２２０）の各々にねじ込む。これらネジ（３６）（３６）の各々は、タッピング式であるから、室外側からドライバー等で締め込まれることによって、これらネジ（３６）（３６）の各々の軸部が孔部（２２０）（２２０）の各々の内壁に螺旋状に食い込みながらその内方に侵入し、最終的に、これらネジ（３６）（３６）の各々の頭部が貫通孔（３４）（３４）の各々の周縁部に当接する。これによって、防雨板（３）が筒体（２）  に対してネジ止めされたものとなる。
【００３２】
この状態にて、温水コンセント（１）の凹部（１３）（１３）の各々と外筒（２５）の室内側の端面との間にわずかな間隙が形成される程度に、外筒（２５）の長さは設定されている。又、通常、この状態で、図１に示すように、貫通孔（１３０）（１３０）の各々と孔部（２２０）（２２０）の各々とが一致するように、各部の寸法関係は設定されている。よって、室内側からネジ（１６）（１６）を、凹部（１３）（１３）の各々に挿入して貫通孔（１３０）（１３０）の各々に挿通させ、前記孔部（２２０）（２２０）の各々にねじ込む。これらネジ（１６）（１６）の各々もタッピング式であり、孔部（２２０）（２２０）の各々の内壁に食い込みながらその内方に侵入し、ネジ（１６）（１６）の頭部の各々が貫通孔（１３０）（１３０）の各々の周縁部に当接する。これによって、基板（１０）と外筒（２５）とがネジ止めされたものとなる。
【００３３】
尚、基板（１０）と筒体（２）とをネジ止めした後に、前記防雨板（３）を外筒（２５）にネジ止めしてもよい。
この後、ネジ（３７）（３７）を用いて防雨板（３）を壁（８）に対してネジ止めし、室内側の基板（１０）に対してケース体（１００）を嵌着させる。
この組付け状態においては、温水パイプ（４２）のみが防雨板（３）よりも室外側に突出する態様となっており、その突出部分は、同図に示すように、別途設けられる断熱材（４５）によって被覆される構成となっている。
【００３４】
上記温水コンセント（１）のコンセント本体（１１）は、蓋体（１５）によって開閉自在に被覆されており、前記蓋体（１５）を開くことにより、温水暖房装置等の放熱機の室内側温水配管の先端に設けられるソケット（５１）をコンセント本体（１１）に接続することができる。これによって、室外機の加熱回路と室内機の放熱回路とが連通されたものとなる。尚、一対の温水パイプ（４２）の一方は、室外機から室内機への温水の往路を構成し、他方は、室内機から室外機への復路を構成する。
【００３５】
このものでは、温水パイプ（４２）を包囲している包囲筒として蛇腹管（４０）を採用したから、蛇腹を伸縮させることにより、壁（８）の厚みに応じて蛇腹管（４０）の長さを変えることができる。又、蛇腹管（４０）は、防雨板（３）に設けた抜け止め用の係止片（３０）によって外方へ抜け止め状態に収容されているから、蛇腹管（４０）は、温水パイプ（４２）を壁孔（８０）内で確実に包囲することとなる。尚、蛇腹管で包囲されることによって、前記温水パイプ（４２）の周囲には、蛇腹による空気断熱層が形成されることとなり、従来のような発泡樹脂製の断熱材を設けなくても、従来の断熱材と同様な効果が発揮されることとなり、前記温水パイプ（４２）は断熱されることとなる。
【００３６】
＊他の実施の形態について
図２は、本願発明の第２番目の実施の形態の接続装置における温水パイプ（４２）と室外側温水配管との接続の様子を示す説明図である。
この実施の形態では、温水パイプ（４２）を包囲する包囲筒としての蛇腹管（４０）を、室外側壁面（８２）に添設させた防雨板（３）の中央孔（３２）から、温水パイプ（４２）と共に外方へ突出させる構成とした。
【００３７】
防雨板（３）としては、上記した第１番目の実施の形態と同様に、ネジ（３６）によって、壁（８）の壁孔（８０）内に収容されている外筒（２５）の連結パイプ部（２４）にネジ止めされていると共に、中央孔（３２）の周縁の複数箇所に抜け止め用の係止片（３０）が壁孔（８０）内へ突出する態様で設けられているものを採用する。
【００３８】
前記蛇腹管（４０）は適度に圧縮した状態で、温水パイプ（４２）の全域と室外側配管（５０）との接続部をも被覆する長さに設定されている。尚、温水パイプ（４２）の先端に室外側配管（５０）をそれぞれ接続させる前に、前記蛇腹管（４０）のうち、壁孔（８２）から外方へ突出している部分を伸張方向に引っ張って蛇腹の山径を小さくし、蛇腹管（４０）を前記防雨板（３）の中央孔（３２）に挿通させると共にし、防雨板（３）を室外側壁面（８２）に添設固定させる。この状態にて、中央孔（３２）の周縁の複数箇所に設けられている係止片（３０）が、蛇腹管（４０）の山部のいずれかに係止することとなり、蛇腹管（４０）は、外方へ抜け止め状態に壁孔（８０）内に装着されることとなる。そして、温水パイプ（４２）の先端に室外側配管（５０）を接続させる際には、蛇腹管（４０）の前記突出部分を壁（８）側へ圧縮させ、前記温水パイプ（４２）の先端を露出させると共に、接続具（５２）を介して、室外側配管（５０）に接続させれば良い。接続後に、蛇腹管（４０）を再度外方に引っ張って伸張させ、前記接続具（５２）に被覆させておけば良い。
【００３９】
このものでは、温水パイプ（４２）はもちろん、室外側配管（５０）との接続部までが蛇腹管（４０）によって被覆される態様となっているから、図１で示したような、接続部に被覆させる断熱材（４５）を別途設ける必要がない。尚、室外側配管（５０）は、従来のものと同様に、断熱材（４６）で被覆されており、この実施の形態のものでは、断熱材（４６）の先端に蛇腹管（４０）の先端が対向する関係となり、断熱材（４６）の長さに応じて、蛇腹管（４０）を伸縮させることができるので、室外側の温水パイプ（４２）及び室外側配管（５０）の延長長さに関わらず、温水パイプ（４２）が露出することがなく、断熱効果を有する蛇腹管（４０）によって確実に被覆される態様となる。
【００４０】
第３番目の実施の形態のものは、図３に示すように、上記した第１、第２番目の実施の形態と同様に、温水パイプ（４２）を包囲する包囲筒（４４）を蛇腹管（４０）によって構成すると共に、さらに、外筒（２５）をも蛇腹管（２６）によって構成したものであり、温水コンセント（１）の基板（１０）を室内側壁面（８１）に添設させると共に防雨板（３）を室外側壁面（８２）に添設させるために、２本の連結パイプ（２７）を別途設けた構成となっている。
【００４１】
すなわち、この実施の形態のものでは、壁（８）の壁孔（８０）内に二重の蛇腹管が収容された態様となっており、内側に位置する包囲筒（４４）としての蛇腹管（４０）内には、温水導通ユニット（４）の温水パイプ（４２）とリモコンケーブル（６）が挿通されていると共に、前記蛇腹管（４０）の外側で且つ前記外筒（２５）の内側には、前記一対の連結パイプ（２７）と、電源コード（７）とが挿通される構成となっている。
【００４２】
この実施の形態のものでは、外筒（２５）及び包囲筒（４４）を共に蛇腹管（２６）（４０）によって構成してあるから、壁（８）の厚みに応じて各蛇腹管（２６）（４０）を伸縮させて長さを調整することができる上に、両者とも柔軟であるため作業性が良い。又、連結パイプ（２７）は独立した筒状部材としたから、温水コンセント（１）の凹部（１３）の貫通孔（１３０）及び、防雨板（３）の貫通孔（３４）にそれぞれ対応させ易く、温水コンセント（１）及び防雨板（３）を壁（８）の室内側壁面（８１）及び室外側壁面（８２）にそれぞれ取付ける取付け作業がやり易いものとなる。
【００４３】
尚、この実施の形態では、防雨板（３）の中央孔（３２）からの抜け止めとして、防雨板（３）の内側に、Ｃ型リング（３３）が取付けられた構成とした。
【図面の簡単な説明】
【図１】本発明の第１番目の実施の形態の温水配管接続装置を示す縦断面図。
【図２】本願発明の第２番目の実施の形態の温水配管接続装置における温水パイプ（４２）と室外側温水配管（５０）との接続の様子を示す縦断面図。
【図３】本発明の第３番目の実施の形態の温水配管接続装置を示す縦断面図。
【図４】従来の温水配管接続装置を示す縦断面図。
【符号の説明】
（１）    ・・・・温水コンセント
（１１）・・・・コンセント本体
（４０）・・・・蛇腹管
（４２）・・・・温水パイプ
（４４）・・・・包囲筒
（５０）・・・・室外側温水配管
（８）  ・・・・壁
（８０）・・・・貫通孔
（８１）・・・・室内側壁面
【図１】
0003607646.tif 000002
【図２】
0003607646.tif 000003
【図３】
0003607646.tif 000004
【図４】
0003607646.tif 000005